(57)【要約】【課題】穀粒の搬送能力並びに清掃能力を高め、コンバインによる穀粒排出作業および清掃作業の能率を高める。【解決手段】穀粒排出用ホース（１５）の途中部に、これより分岐して送風機（１４）からの空気圧を機体各部に吹き付けて清掃する清掃用ホース（１７）への分岐送風経路を施した分岐経路部（１６）を設け、送風機（１４）からの空気圧を穀粒排出側と清掃側とに切り替える切替レバー（２４）の回動軸（２５）を分岐経路部（１６）に軸架し、この回動軸（２５）には分岐送風経路に連通可能な通風口（２６）を設ける。【選択図】      図８
2011092028.tif 000002
【特許請求の範囲】
【請求項１】
グレンタンク（８）内の穀粒を外部に排出する穀粒排出装置（９）と、該穀粒排出装置（９）に連通されて送風機（１４）から圧送される空気により穀粒を搬出する穀粒排出用ホース（１５）を備えたコンバインにおいて、前記穀粒排出用ホース（１５）の途中部には、これより分岐して前記送風機（１４）から圧送される空気を機体各部に吹き付けて清掃する清掃用ホース（１７）への分岐送風経路を備えた分岐経路部（１６）を設け、送風機（１４）から圧送される空気を穀粒排出側と清掃側とに切り替える切替レバー（２４）の回動軸（２５）を前記分岐経路部（１６）に軸架すると共に、この回動軸（２５）には分岐送風経路に連通可能な通風口（２６）を設けてあることを特徴とするコンバイン。
【請求項２】
前記穀粒排出用ホース（１５）側には、前記切替レバー（２４）の切替操作に連動して排出側と清掃側とに切替可能な切替弁（２３）を設けてあることを特徴とする請求項１記載のコンバイン。
【請求項３】
前記分岐経路部（１６）を、切替レバー軸（２５）を貫通軸架する分岐経路部材（１９）と、穀粒排出用ホース（１５）に開口された分岐開口部（１８）を外側から被覆する分岐送風口（２０）を有した分岐カバー体（２１）と、前記清掃用ホース（１７）に接続する分岐送風管（２２）とから一体的に構成したことを特徴とする請求項１又は請求項２記載のコンバイン。
【発明の詳細な説明】
【技術分野】
【０００１】
この発明は、収穫された穀粒をタンク内に収容し、収容されたタンク内の穀粒を機外に排出する穀粒排出装置を備えたコンバインに関する。
【背景技術】
【０００２】
下記特許文献１には、グレンタンク内の穀粒を排出する穀粒排出装置を備えたコンバインにおいて、送風機からの吹出風の流れを変向する切替弁の切り替えにより、グレンタンク内の穀粒を機外に排出させたり、また、ラジエータカバーの内面に風を吹き付けて付着したワラ屑を除去したりする技術が開示されている。
【先行技術文献】
【特許文献】
【０００３】
【特許文献１】特開２００２−６５０４７号公報
【発明の概要】
【発明が解決しようとする課題】
【０００４】
本発明の課題は、穀粒排出用ホースと清掃用ホースとの間に穀粒排出用ホースの途中部から分岐して送風機からの空気圧を清掃用ホース側へ送り込む分岐経路部を設け、この分岐経路部には排出側と清掃側とに切替可能な切替レバーの回動軸を軸架させ、切替レバー軸の回動により、排出・清掃の切り替えが簡単な構成でもって容易に行える装置を具現することにある。
【課題を解決するための手段】
【０００５】
この発明は、上記課題を解決すべく次のような技術的手段を講じた。
すなわち、請求項１記載の発明は、グレンタンク（８）内の穀粒を外部に排出する穀粒排出装置（９）と、該穀粒排出装置（９）に連通されて送風機（１４）から圧送される空気により穀粒を搬出する穀粒排出用ホース（１５）を備えたコンバインにおいて、前記穀粒排出用ホース（１５）の途中部には、これより分岐して前記送風機（１４）から圧送される空気を機体各部に吹き付けて清掃する清掃用ホース（１７）への分岐送風経路を備えた分岐経路部（１６）を設け、送風機（１４）から圧送される空気を穀粒排出側と清掃側とに切り替える切替レバー（２４）の回動軸（２５）を前記分岐経路部（１６）に軸架すると共に、この回動軸（２５）には分岐送風経路に連通可能な通風口（２６）を設けてあることを特徴とするコンバインとする。
【０００６】
前記切替レバー（２４）を清掃側に切り替えると、回動軸（２５）の回動変位により通風口（２６）が分岐送風経路と連通状態となり、送風機（１４）から圧送される空気が分岐送風経路及び通風口（２６）を通じて清掃用ホース（１７）側へ圧送される。また、切替レバー（２４）を排出側に切り替えると、回動軸（２５）の回動変位により通風口（２６）が分岐送風経路とは非連通状態となり、送風機（１４）から清掃用ホース（１７）側への空気の流れが遮断され、穀粒排出用ホース（１５）側への流れに切り替る。
【０００７】
請求項２記載の発明は、前記穀粒排出用ホース（１５）側には、前記切替レバー（２４）の切替操作に連動して排出側と清掃側とに切替可能な切替弁（２３）を設けてあることを特徴とする請求項１記載のコンバインとする。
【０００８】
グレンタンク（８）内の穀粒を排出するときには、切替レバー（２４）を排出側に切り替えると、切替弁（２３）が穀粒排出用ホース（１５）内の流路を開放する側に切り替わり、グレンタンク（８）の底部から繰り出される穀粒が送風機（１４）から圧送される空気により搬送されて外部に排出される。
【０００９】
作業終了後にコンバインの機体を清掃するときには、切替レバー（２４）を清掃側に切り替えると、切替弁（２３）は穀粒排出用ホース（１５）内の流路を閉塞する側に切り替わり、送風機（１４）から圧送される空気は分岐経路部（１６）の分岐送風経路側に切り替えられ、清掃用ホース（１７）を通じてこの先端から噴出する。
【００１０】
請求項３記載の発明は、前記分岐経路部（１６）を、切替レバー軸（２５）を貫通軸架する分岐経路部材（１９）と、穀粒排出用ホース（１５）に開口された分岐開口部（１８）を外側から被覆する分岐送風口（２０）を有した分岐カバー体（２１）と、前記清掃用ホース（１７）に接続する分岐送風管（２２）とから一体的に構成したことを特徴とする請求項１又は請求項２記載のコンバインとする。
【００１１】
切替弁（２３）は、分岐開口部（１８）から挿入し、切替レバー軸（２５）の回動に連動して穀粒排出用ホース（１５）内を開閉作動する。穀粒排出用ホース（１５）内への切替弁挿入後は、分岐カバー体（２１）にて分岐開口部（１８）を外側から被覆する。清掃時は、送風機（１４）からの空気圧が分岐カバー体（２１）の分岐送風口（２０）から分岐経路部材（１９）の分岐送風経路内に吹き込まれ、通風口（２６）、分岐送風管（２２）内を通じて清掃用ホース（１７）側へ送られる。
【発明の効果】
【００１２】
請求項１記載の発明によれば、切替レバー（２４）の回動軸（２５）がバルブの役目を果たし、通風口を形成するだけの簡単な構成でもって分岐送風経路の開閉を的確に行うことができ、コンバインの機体の清掃作業を円滑に行なうことができる。
【００１３】
請求項２記載の発明によれば、上記請求項１記載の発明の効果を奏するものでありながら、切替レバー（２４）の排出側と清掃側への切り替えに連動して切替弁（２３）も同時に切替作動されるので、排出時、清掃時のいづれにおいてもエア漏れがなく、穀粒の搬送能力並びに清掃能力をより高めることができ、コンバインによる穀粒排出作業および清掃作業の能率を高めることができる。
【００１４】
請求項３の本発明によれば、上記請求項１又は請求項２記載の発明の効果を奏するものでありながら、分岐経路部は、切替レバー軸（２５）や切替弁（２３）と共にユニット化され、切替弁（２３）を穀粒排出用ホース（１５）の分岐開口部（１８）から挿入して簡単にセットすることができ、構成が簡潔となって安価に提供することができる。
【図面の簡単な説明】
【００１５】
【図１】コンバインの側面図
【図２】同上要部の側面図
【図３】同上要部の背面図
【図４】排出・分岐清掃装置の送風切替手段を示す要部の斜視図
【図５】同上要部の側面図
【図６】同上要部の背面図
【図７】同上要部の背断面図
【図８】清掃時の切替バルブの正断面図
【図９】同上要部の側面図
【図１０】排出時の切替バルブの正断面図
【図１１】同上要部の側面図
【図１２】分岐カバー体の正断面図
【図１３】排出時（イ）及び清掃時（ロ）の切替弁作動状態を示す側断面図
【図１４】穀粒排出装置及び清掃装置の要部の側面図
【図１５】エア清掃装置の要部の正面図
【図１６】同上要部の側面図
【発明を実施するための形態】
【００１６】
この発明の実施例を図面に基づき説明する。
図１は普通型コンバインの側面図を示すものであり、この走行車体１には、左右一対の走行クローラ２，２を備え、後部に搭載した脱穀部４の前方部に刈取部３を設置し，刈取部３の後方でフィーダーハウス５の横側部には運転席６や操作ボックス等からなる運転操作部を内蔵するキャビン７を備え、更に、そのキャビン７の後方には脱穀粒を一時的に貯留するグレンタンク８を装備している。
【００１７】
グレンタンク８には、該タンク内の穀粒を排出する穀粒排出装置９が備えられている。穀粒排出装置９は、先端に穀粒排出口１０を有した昇降旋回自在な排出筒１１と、グレンタンク８の底部から繰出装置（ロータリバルブ）１３を介して繰り出される穀粒を受け入れて送風機１４からの高圧空気（送風機１４から圧送される空気）により搬送する搬出筒１２とからなる。
【００１８】
穀粒排出装置９と送風機１４との間には、前記搬出筒１２に連通されて送風機１４からの高圧空気を送り込む穀粒排出用ホース１５と、該穀粒排出用ホースの途中部から分岐する分岐経路部１６を介して送風機１４からの空気圧をコンバイン各部に吹き付けて清掃する清掃用ホース１７を備えている。
【００１９】
分岐経路部１６は、この分岐経路部を構成する分岐経路部材１９と、穀粒排出用ホース１５の途中部に開設した分岐開口部１８を覆うべく設けられた分岐送風口２０を有する半円弧状の分岐カバー体２１と、清掃用ホース１７に連通する分岐送風菅２２とからなる構成としている。前記分岐経路部材１９には、切替弁２３を切替操作する切替レバー２４の回動軸２５が貫通軸架されてあり、また、この回動軸２５には分岐送風管２２に通ずる通風口２６が設けられている。
【００２０】
切替レバー２４を清掃側に切替操作すると、切替弁２３によって排出側への送風が閉塞され、送風機１４からの空気圧は、分岐送風口２０、通風口２６を経て分岐送風管２２より清掃用ホース１５内に送り込まれる。また、切替レバー２４を排出側に切替操作すると、切替弁２３によって排出側への送風経路が開き、同時に回動軸２５の回動によって通風口２６が閉じて清掃側への送風が遮断されることになる。
【００２１】
切替弁２３は、穀粒排出用ホース１５の周面に沿う円弧状に形成され、大きく開口された分岐開口部１８からホース１５内に挿入されるようになっていて、切替レバー２４の回動軸２５の回動に連動して排出側経路を閉じたり開いたりするように構成している。つまり、切替レバー回動軸２５の通風口２６が開いている場合には、切替弁２３がホース１５内の排出側経路を塞ぐようにし、通風口２６が閉じている場合には切替弁２３が穀粒排出用ホース１５の内面に密着し、或いは内周面より外周面側に陥没して送風抵抗が生じないように構成している。
【００２２】
なお、前記切替弁２３は切替レバーの回動軸２５に対して溶接等により一体的に固着されている。また、前記分岐経路部１６は基板３０を介して送風機１４の機枠に装着支持している。
【００２３】
送風機１４の近傍に清掃用スイッチ３１を設け、この清掃用スイッチ３１の操作で、送風機の駆動の入り切りができるように構成している。また、清掃用スイッチをＯＮ操作しても繰出装置(ロータリバルブ)１３が駆動しないように関連構成しておくことで、穀粒排出時に搬出筒（フィーダ）１２内に穀粒が詰まった場合、清掃用スイッチを押しても、ロータリバルブが駆動しないので、送風機１４からの空気圧で詰まりを除去することができる。
【００２４】
また、図２に示すように、清掃用ホース１７の先端部には無線遠隔操作用のリモコン操作器３２を備えてあり、送風機１４の駆動を入切する清掃用スイッチ３１やアクセルレバー３３等の操作が行えるように構成している。
【００２５】
切替レバー２４は弾性変位可能な構成としてあり、排出時のみレバーガイド３４の係止突起３４ａにて係止固定するようにし、清掃時は、切替レバー２４をガイド部３４ｂの範囲内にてフリーの状態とし、空気圧により切替弁２３が最大限に開くように構成している。即ち、清掃時は切替弁２３が空気圧により最大限に開くため、より大きな清掃風を発生させることができる。なお、上記レバーガイド３４は、図１５に示すように、分岐送風管２２の外側に位置する部分から更に外側へ折り曲げた構成としてあり、清掃用ホース１７が干渉しても極端に折れ曲がることがなく、緩やかな湾曲度を保持することになるので、レバーガイド３４のエッジ部分で損傷を受けることがない。
【００２６】
送風機１４の排風口に連通する基板３０の穴径Ｄ１を穀粒排出用ホース１５の内径Ｄ２よりも小さくした構成としている。穀粒排出用ホース１５の内面は凹凸があるため、その部分を隠すことができ、穀粒排出時におけるエアの乱流を防ぐことができる。
【００２７】
清掃用ホース１７は、柔軟性を帯びた構成とし、先端からエアを噴出し、コンバインの機体の各部に吹き付けて清掃するものであるが、不使用時には、図１４に示すように、繰出装置１３の後方空間部にコイル状に巻き込んで収納する収納保持枠３５を設けることで、分岐経路部から収納部まで一定の距離を保有することになり、清掃用ホース１７が巻き易く、この清掃用ホース１７の取り出しも容易となる。
【００２８】
また、収納保持枠３５の先端３５ａは、上向きに折曲し、その対面側にグレンタンク８の漏斗状斜面８ａを形成している。これは、清掃用ホース１７が収納保持枠３５より飛び出そうとすると、グレンタンク８の斜面が阻止し、脱落を防止することができる。
【００２９】
また、清掃用ホース１７の収納時は、この清掃用ホース１７の先端に円柱栓３６を差し込んで密閉しておくことによりエアの漏れを防止でき、穀粒排出時の送風力を高く維持することができる。
【００３０】
また、穀粒排出用ホース１５、切替レバー２４、清掃用スイッチ３１、清掃用ホース１７、ホース収納部(収納保持枠)３５等をグレンタンク８の下部を覆う一枚のカバー３７によって被覆すると共に、このカバー３７はワンタッチで開閉できる構成としている。ワンタッチで開放できる一枚のカバー３７内にエア清掃装置が構成されているため、清掃時の作業及びメンテナンスが良好に行える。これらが一箇所にまとまっているため、収納忘れや切替忘れがなくなる。
【符号の説明】
【００３１】
８    グレンタンク
９    穀粒排出装置
１４    送風機
１５    穀粒排出用ホース
１６    分岐経路部
１７    清掃用ホース  
１８    分岐開口部
１９    分岐経路部材
２０    分岐送風口
２１    分岐カバー体
２２    分岐送風管
２３    切替弁
２４    切替レバー
２５    回動軸
２６    通風口
【図１】
2011092028.tif 000003
【図２】
2011092028.tif 000004
【図３】
2011092028.tif 000005
【図４】
2011092028.tif 000006
【図５】
2011092028.tif 000007
【図６】
2011092028.tif 000008
【図７】
2011092028.tif 000009
【図８】
2011092028.tif 000010
【図９】
2011092028.tif 000011
【図１０】
2011092028.tif 000012
【図１１】
2011092028.tif 000013
【図１２】
2011092028.tif 000014
【図１３】
2011092028.tif 000015
【図１４】
2011092028.tif 000016
【図１５】
2011092028.tif 000017
【図１６】
2011092028.tif 000018